(57)【特許請求の範囲】
【請求項１】
外部装置と無線通信を行う無線通信手段と、外部装置と有線通信を行う有線通信手段と、指示座標を検出する機能および各種のデータを表示する機能を有する座標検出表示手段と、を備え、前記座標検出表示手段が検出する指示座標に基づく処理を行うプリンタであって、
前記座標検出表示手段に少なくとも１つの第１領域を定め、前記第１領域内に所定の第１画像を表示する第１の表示制御手段と、
前記座標検出表示手段が取得した前記指示座標が前記第１領域内に位置する場合に、前記無線通信手段を用いた前記無線通信を実行するための各種の設定を行うとともに前記無線通信を開始する所定の処理を実行する処理実行手段と、
前記所定の処理の実行が完了したと判断される場合に、前記所定の第１画像に代えて、前記無線通信の電波強度を示すデータ画像を前記第１領域内に表示する第２の表示制御手段と、
前記処理実行手段によって開始された前記無線通信を終了して前記有線通信を開始することに応じて、前記データ画像に代えて、前記所定の第１画像を前記第１領域内に再表示する第３の表示制御手段と、
を備えることを特徴とするプリンタ。
【請求項２】
前記座標検出表示手段に前記第１領域の少なくとも一部と領域が重複する第２領域を定め、前記第２領域内に所定の第２画像を表示する第４の表示制御手段をさらに備え、
前記第４の表示制御手段は、
前記所定の第２画像が、前記プリンタの本体の機構に故障が発生していることを示す画像である場合には、前記所定の第２画像を前記所定の第１画像および前記データ画像に優先して前記第２領域内に表示し、
前記所定の第２画像が、前記プリンタの消耗部材の残量が低下していることを示す画像である場合には、前記所定の第１画像および前記データ画像を前記所定の第２画像に優先して前記第２領域内に表示することを特徴とする請求項１に記載のプリンタ。
【請求項３】
前記所定の処理は、特定の無線基地局との間の無線通信の設定処理を含んでおり、
前記第３の表示制御手段は、前記特定の無線基地局の電波強度が予め定められた閾値よりも小さくなることに応じて、前記データ画像に代えて、前記所定の第１画像を前記第１領域内に再表示することを特徴とする請求項１または２に記載のプリンタ。
【請求項４】
前記第３の表示制御手段は、
前記特定の無線基地局の電波強度が前記予め定められた閾値よりも小さくなることに応じて前記所定の第１画像が前記第１領域内に再表示されている場合に、
前記特定の無線基地局の電波強度が前記予め定められた閾値よりも大きくなることに応じて、前記所定の第１画像に代えて、前記データ画像を前記第１領域内に表示することを特徴とする請求項３に記載のプリンタ。
【請求項５】
外部装置と無線通信を行う無線通信手段と、外部装置と有線通信を行う有線通信手段と、指示座標を検出する機能および各種のデータを表示する機能を有する座標検出表示手段と、を備え、前記座標検出表示手段が検出する指示座標に基づく処理を行うプリンタの制御方法であって、
前記座標検出表示手段に少なくとも１つの第１領域を定め、前記第１領域内に所定の第１画像を表示する第１の表示制御ステップと、
前記座標検出表示手段が取得した前記指示座標が前記第１領域内に位置する場合に、前記無線通信手段を用いた前記無線通信を実行するための各種の設定を行うとともに前記無線通信を開始する所定の処理を実行する処理実行ステップと、
前記所定の処理の実行が完了したと判断される場合に、前記所定の第１画像に代えて、前記無線通信の電波強度を示すデータ画像を前記第１領域内に表示する第２の表示制御ステップと、
前記処理実行ステップによって開始された前記無線通信を終了して前記有線通信を開始することに応じて、前記データ画像に代えて、前記所定の第１画像を前記第１領域内に再表示する第３の表示制御ステップと、
を備えることを特徴とするプリンタの制御方法。
【請求項６】
外部装置と無線通信を行う無線通信手段と、外部装置と有線通信を行う有線通信手段と、指示座標を検出する機能および各種のデータを表示する機能を有する座標検出表示手段と、を備え、前記座標検出表示手段が検出する指示座標に基づく処理を行うプリンタのためのプログラムであって、
前記座標検出表示手段に少なくとも１つの第１領域を定め、前記第１領域内に所定の第１画像を表示する第１の表示制御手段と、
前記座標検出表示手段が取得した前記指示座標が前記第１領域内に位置する場合に、前記無線通信手段を用いた前記無線通信を実行するための各種の設定を行うとともに前記無線通信を開始する所定の処理を実行する処理実行手段と、
前記所定の処理の実行が完了したと判断される場合に、前記所定の第１画像に代えて、前記無線通信の電波強度を示すデータ画像を前記第１領域内に表示する第２の表示制御手段と、
前記処理実行手段によって開始された前記無線通信を終了して前記有線通信を開始することに応じて、前記データ画像に代えて、前記所定の第１画像を前記第１領域内に再表示する第３の表示制御手段と、
を、前記プリンタに搭載されるコンピュータに機能させることを特徴とするプログラム。
【発明の詳細な説明】
【技術分野】
【０００１】
本願は、各種の画像を表示するデータ入力装置、データ入力装置の制御方法およびプログラムに関する。
【背景技術】
【０００２】
小さな操作画面に対して多くの機能を表示するための工夫として、例えば、階層構造のメニュー表示化を行う方法がある。階層構造では、ある階層の表示画面内のボタン画像を選択すると次の階層の画面に遷移する。次の階層の画面には、別のボタン画像が複数表示される。小さな操作画面に深い階層での設定操作を必要とせず、操作性に優れ、直感的に理解しやすい設定を行う技術として、特許文献１の技術が開示されている。
【先行技術文献】
【特許文献】
【０００３】
【特許文献１】特開２００９−１５２８１８号公報
【発明の概要】
【発明が解決しようとする課題】
【０００４】
スキャナ機能、プリンタ機能、コピー機能やファクシミリ機能などの多機能化の進んだ複合機において、多くの機能の設定を小さな操作画面に深い階層構造により表示させる方法は、ユーザが選択を所望する機能の設定を画面表示させるために必要な操作数を増加させる傾向にあり、必要な機能がどこにあるか、またどの機能を使ったら良いのかがわかりにくく、使い勝手が良いとは言えない。本明細書では、このような不便性を解消することができる技術を提供する。
【課題を解決するための手段】
【０００５】
本願に記載のデータ入力装置は、外部装置と無線通信を行う無線通信手段と、外部装置と有線通信を行う有線通信手段と、指示座標を検出する機能および各種のデータを表示する機能を有する座標検出表示手段と、を備え、座標検出表示手段が検出する指示座標に基づく処理を行うプリンタであって、座標検出表示手段に少なくとも１つの第１領域を定め、第１領域内に所定の第１画像を表示する第１の表示制御手段と、座標検出表示手段が取得した指示座標が第１領域内に位置する場合に、無線通信手段を用いた無線通信を実行するための各種の設定を行うとともに無線通信を開始する所定の処理を実行する処理実行手段と、所定の処理の実行が完了したと判断される場合に、所定の第１画像に代えて、無線通信の電波強度を示すデータ画像を第１領域内に表示する第２の表示制御手段と、処理実行手段によって開始された無線通信を終了して有線通信を開始することに応じて、データ画像に代えて、所定の第１画像を第１領域内に再表示する第３の表示制御手段と、を備えることを特徴とする。
本願に記載のデータ入力装置は、指示座標を検出する機能および各種のデータを表示する機能を有する座標検出表示手段を備え、座標検出表示手段が検出する指示座標に基づく処理を行うデータ入力装置であって、座標検出表示手段に少なくとも１つの第１領域を定め、第１領域内に所定の第１画像を表示する第１の表示制御手段と、座標検出表示手段が取得した指示座標が第１領域内に位置する場合に、所定の処理を実行させる処理実行手段と、所定の処理の実行が完了したと判断される場合に、所定の第１画像に代えて、所定の処理を完了することに応じて得られるデータに関するデータ画像を第１領域内に表示する第２の表示制御手段と、を備えることを特徴とする。
【０００６】
第１画像は、所定の処理の実行を開始させるための画像である。データ画像は、所定の処理の実行が完了した場合に表示される画像である。第１画像及びデータ画像は、互いに関連する画像であるが、同時に同じ領域（第１領域）に表示する必要がない画像である。第１領域を、所定の処理の実行完了の前後で時分割して、第１画像又は、データ画像の両方を表示することが可能な領域として使用することができる。第１領域を時分割で使用することにより、第１画像又はデータ画像を表示させるための手間（階層を切り替える操作など）を減少させることができるため、ユーザの利便性を高めることができる。
【０００７】
本明細書に記載のプリンタでは、所定の処理の実行により得られた処理結果がリセットされることに応じて、第１画像を第１領域内に再表示する。第１画像を第１領域内に再表示されるため、第１画像が深い階層に表示されてしまう事態を防止でき、所定の処理を再度実行する際の手間を減少させることができる。
【０００８】
本明細書に記載のプリンタによれば、無線通信に代えて有線通信が使用されることに応じて、第１画像を第１領域内に再表示する。第１画像を第１領域内に再表示するため、第１画像が深い階層に表示されてしまう事態を防止でき、無線通信の設定を再度実行する際の手間を減少させることができる。
【０００９】
請求項３に記載のプリンタによれば、特定の無線基地局の電波強度が閾値よりも小さくなることに応じて、第１画像を第１領域内に再表示する。第１画像を第１領域内に再表示するため、第１画像が深い階層に表示されてしまう事態を防止でき、無線通信の設定を再度実行する際の手間を減少させることができる。
【００１０】
請求項４に記載のプリンタによれば、特定の無線基地局の電波強度が予め定められた閾値よりも大きくなることに応じて、第１画像に代えて、データ画像を第１領域内に表示する。無線通信の設定が必要な場合又は、電波強度の表示が必要な場合の各々に対応して、第１領域内に表示される画像を自動で切り替えることが可能となるため、第１領域をさらに有効利用することが可能となる。
【００１１】
請求項２に記載のプリンタによれば、第２領域内に、所定の第１画像またはデータ画像に優先して第２画像を表示するか否かを、第２画像の重要度に応じて決定することができる。第２画像を重要度に応じて表示するか否かを決定する事により、座標検出表示手段の表示領域を、さらに有効利用することが可能となる。
【図面の簡単な説明】
【００１２】
【図１】多機能機の外観図および構成図である。
【図２】多機能機の動作を示すフローチャート（その１）である。
【図３】多機能機の動作を示すフローチャート（その２）である。
【図４】多機能機の動作を示すフローチャート（その３）である。
【図５】多機能機の動作を示すフローチャート（その４）である。
【図６】多機能機の動作を示すフローチャート（その５）である。
【図７】表示パネルの表示例（その１）である。
【図８】表示パネルの表示例（その２）である。
【図９】表示パネルの表示例（その３）である。
【図１０】表示優先度テーブル例である。
【発明を実施するための形態】
【００１３】
＜第１実施例＞
第１実施例を説明する。図１に、本願に係る実施例として例示される印刷システム１のブロック図を示す。印刷システム１は、多機能機１０（Multifunction Peripheral（ＭＦＰ）ともいう）、アクセスポイント６２、インターネット７０を備える。
【００１４】
＜多機能機１０の構成＞
多機能機１０は、プリンタ機能、スキャナ機能、コピー機能、ファクシミリ機能、電話機能などを有する装置である。多機能機１０は、制御部１２、表示パネル５０、ハードキー５２、印刷部５４、スキャン部５６、ＦＡＸ部５８、ネットワークインターフェイス６０、無線送受信部３６、無線アンテナ部３７、等を備える。制御部１２は、ＣＰＵ１４、ＲＯＭ１６、ＲＡＭ３０、ＮＶＲＡＭ（Non Volatile RAM）４０、等を有する。
【００１５】
図１に示すように、多機能機１０の上面正面側には、表示パネル５０が設けられている。表示パネル５０は、いわゆるタッチパネルである。表示パネル５０は、ユーザの指や、スタイラス（タッチパネル用ペン）が接触または接近された指示座標を検出する機能を有する。表示パネル５０は、各種の画像を表示する機能を有する。図７に、表示パネル５０に表示される待機画面７１の表示例を示す。待機画面７１は、階層構造のメニュー表示における、最上層の表示画面である。階層構造は、ある階層の表示画面内のボタン画像を選択すると次の階層の画面に遷移し、別のボタン画像が複数表示される、という構造である。
【００１６】
待機画面７１は、第１領域Ａ１を備える。第１領域Ａ１は、後述するように、無線ＬＡＮ設定ボタンＢ１や電波強度表示Ｄ１などを表示するための領域である。図７に示す表示パネル５０の表示例では、第１領域Ａ１は、待機画面７１の右上隅部に、矩形形状を有して備えられている。無線ＬＡＮ設定ボタンＢ１は、無線ＬＡＮ設定処理（Ｓ２１）を開始するためのボタン画像である。無線ＬＡＮ設定は、無線ＬＡＮ通信２０３を実行可能にするための各種の設定である。電波強度表示Ｄ１は、無線ＬＡＮ設定処理（Ｓ２１）が完了することに応じて表示される画像である。
【００１７】
待機画面７１（図７）には、「ＳｐｅｅｄＤｉａｌ」ボタンＢ２、「Ｍｅｎｕ」ボタンＢ３、「Ｈｉｓｔｏｒｙ」ボタンＢ４、「Ｉｎｋ」ボタンＢ５、などの各種のボタン画像が表示される。これらのボタン画像にタッチすることによって、待機画面７１よりも下層の画面を、表示パネル５０に表示させることができる。第３領域Ａ３には、現在時刻が表示される。
【００１８】
多機能機１０の無線送受信部３６は、無線アンテナ部３７を介してアクセスポイント６２との間で無線ＬＡＮ通信２０３を行うことにより、各種のデータを構成するデジタル信号を送受信する。無線送受信部３６は、無線アンテナ部３７で受信される無線ＬＡＮ通信２０３に使用する電波の受信電波強度を測定することができる。無線ＬＡＮ通信の方式の例としては、例えばＩＥＥＥ８０２．１１ａ／ｂ／ｇ／ｎの規格で定められる通信方式が挙げられる。アクセスポイント６２は、インターネット７０を介して外部機器と通信することが可能である。
【００１９】
ネットワークインターフェイス６０は、有線ＬＡＮ回線４に接続されている。  多機能機１０は、無線ＬＡＮ通信２０３に代えて、有線ＬＡＮ回線４を用いて、アクセスポイント６２と通信することも可能である。
【００２０】
ＣＰＵ１４は、ＲＯＭ１６に記憶されているプログラムに従って様々な処理を実行する。ＣＰＵ１４が実行する処理については、後で詳しく説明する。ＲＡＭ３０は、揮発性のメモリであり、基本機能プログラム１８に従って処理が実行される過程で生成される各種データを記憶するための記憶領域である。ＲＯＭ１６は、多機能機１０の基本的な動作を制御するための基本機能プログラム１８を記憶している。
【００２１】
ＮＶＲＡＭ４０は、不揮発性のメモリである。ＮＶＲＡＭ４０は、無線ＬＡＮ設定フラグ４１、再表示フラグ４２、表示優先度テーブル４３、を記憶する。無線ＬＡＮ設定フラグ４１は、無線ＬＡＮ設定が設定済みであるか否かを示すフラグである。再表示フラグ４２は、無線ＬＡＮ設定が設定済みである場合に、無線ＬＡＮ設定ボタンＢ１を第１領域Ａ１に再表示するか否かを示すフラグである。表示優先度テーブル４３は、第１領域Ａ１に示す画像内容の表示優先度を定めたテーブルである。図１０に、表示優先度テーブル４３の一例を示す。無線ＬＡＮ設定ボタンＢ１および電波強度表示Ｄ１の表示優先度は、「中」に設定されている。そして、緊急度の高いエラー表示（印刷ヘッド故障エラー、紙送り機構故障エラー、等）の表示優先度は、無線ＬＡＮ設定ボタンＢ１や電波強度表示Ｄ１の優先度よりも高い、「高」に設定されている。また、緊急度の低いエラー表示（インク残量エラー、用紙切れエラー、等）の表示優先度は、無線ＬＡＮ設定ボタンＢ１や電波強度表示Ｄ１の優先度よりも低い、「低」に設定されている。
【００２２】
またＮＶＲＡＭ４０には、各種の設定が記憶されている。記憶される設定としては、所定時間（Ｓ２０）、電波強度閾値（Ｓ２０、Ｓ４１）、などがある。これらの設定は、予めユーザによって設定されてもよい。
【００２３】
第１実施例に係る多機能機１０の動作について、図２ないし図４のフローチャートを用いて説明する。図２ないし図４のフローは、多機能機１０の電源がオンされることにより開始され、電源がオフされるまで実行され続ける。Ｓ１１において、ＣＰＵ１４は、エラー表示を表示する必要があるエラーが、多機能機１０に発生しているか否かを判断する。エラーが発生していない場合（Ｓ１１：ＮＯ）には、Ｓ１３へ進む。Ｓ１３において、ＣＰＵ１４は、ＮＶＲＡＭ４０に記憶されている無線ＬＡＮ設定フラグ４１が、「設定済み」であるか否かを判断する。無線ＬＡＮ設定フラグ４１が「未設定」である場合（Ｓ１３：ＮＯ）には、まだ無線ＬＡＮ設定処理が行われていないと判断され、Ｓ１５へ進む。
【００２４】
Ｓ１５において、ＣＰＵ１４は、待機画面７１の第１領域Ａ１に、無線ＬＡＮ設定ボタンＢ１を表示する。これにより、図７に示す表示例のように、待機画面７１の右上隅部に無線ＬＡＮ設定ボタンＢ１が表示される。
【００２５】
Ｓ１７において、ＣＰＵ１４は、無線ＬＡＮ設定ボタンＢ１が押下されたか否かを判断する。具体的には、ＣＰＵ１４は、表示パネル５０上の押下点の押下座標が取得できたか否かを判断し、押下座標が取得できた場合には、当該取得座標が第１領域Ａ１内に位置するか否かを判断する。無線ＬＡＮ設定ボタンＢ１が押下されたと判断する場合（Ｓ１７：ＹＥＳ）にはＳ２１へ進み、押下されていないと判断する場合（Ｓ１７：ＮＯ）にはＳ１８へ進む。
【００２６】
Ｓ１８において、ＣＰＵ１４は、待機画面７１の下層に属するメニュー画面を用いて、無線ＬＡＮ設定の実行が指示されたか否かを判断する。下層に属するメニュー画面の例としては、待機画面７１の表示例（図７）において、「Ｍｅｎｕ」ボタンＢ３を押下することによって表示されるメニュー画面が挙げられる。下層に属するメニュー画面を用いて無線ＬＡＮ設定の実行が指示された場合（Ｓ１８：ＹＥＳ）にはＳ２１へ進み、指示されていない場合（Ｓ１８：ＮＯ）にはＳ１９へ進む。
【００２７】
Ｓ１９において、ＣＰＵ１４は、第１領域Ａ１に表示されている無線ＬＡＮ設定ボタンＢ１が、再表示されているか否かを判断する。無線ＬＡＮ設定ボタンＢ１の再表示とは、無線ＬＡＮ通信２０３の受信電波強度が弱いことに応じて（Ｓ４１：ＹＥＳ）、電波強度表示Ｄ１の代わりに無線ＬＡＮ設定ボタンＢ１を第１領域Ａ１に表示することである。当該判断は、ＮＶＲＡＭ４０に記憶されている再表示フラグ４２が「再表示あり」に設定されているか否かによって行われる。無線ＬＡＮ設定ボタンＢ１が再表示されていない場合（Ｓ１９：ＮＯ）にはＳ１１へ戻り、再表示されている場合（Ｓ１９：ＹＥＳ）にはＳ２０へ進む。
【００２８】
Ｓ２０において、ＣＰＵ１４は、無線ＬＡＮ通信２０３の受信電波強度が電波強度閾値よりも大きい状態が、所定時間以上継続しているか否かを判断する。所定時間以上継続していない場合（Ｓ２０：ＮＯ）にはＳ１１へ戻り、所定時間以上継続している場合（Ｓ２０：ＹＥＳ）にはＳ２１へ進む。
【００２９】
Ｓ２１において、ＣＰＵ１４は、無線ＬＡＮ設定処理を実行する。無線ＬＡＮ設定処理の例としては、無線ＬＡＮ設定ウィザードが挙げられる。無線ＬＡＮ設定ウィザードは、無線ＬＡＮ通信２０３を実行するために必要な各種の設定項目を、対話形式によって簡易に設定する機能である。
【００３０】
Ｓ２３に進むと、ＣＰＵ１４は、無線ＬＡＮ通信２０３の接続が成功して通信を実行できる状態となったか否かを判断する。接続が成功していない場合（Ｓ２３：ＮＯ）にはＳ１１へ戻り、成功した場合（Ｓ２３：ＹＥＳ）にはＳ２５へ進む。Ｓ２５において、ＣＰＵ１４は、ＮＶＲＡＭ４０に記憶されている無線ＬＡＮ設定フラグ４１を、「設定済み」に設定する。そしてＳ１１へ戻る。
【００３１】
Ｓ１３において、無線ＬＡＮ設定フラグ４１が「設定済み」である場合（Ｓ１３：ＹＥＳ）には、無線ＬＡＮ設定処理が実行済みであると判断され、Ｓ３１（図３）へ進む。Ｓ３１において、ＣＰＵ１４は、待機画面７１の第１領域Ａ１に、電波強度表示Ｄ１を表示する。電波強度表示Ｄ１は、無線送受信部３６で測定される、無線ＬＡＮ通信２０３に使用する電波の受信電波強度を、リアルタイムで表示するものである。またＣＰＵ１４は、ＮＶＲＡＭ４０に記憶されている再表示フラグ４２を、「再表示なし」に設定する。
【００３２】
Ｓ３３において、ＣＰＵ１４は、無線ＬＡＮ設定の設定内容がリセットされたか否かを判断する。無線ＬＡＮ設定のリセットは、例えば、待機画面７１の下層に属するメニュー画面から、無線ＬＡＮ設定のリセットを選択することで行われる。無線ＬＡＮ設定のリセットが行われた場合（Ｓ３３：ＹＥＳ）にはＳ４５へ進み、リセットが行われていない場合（Ｓ３３：ＮＯ）にはＳ３５へ進む。
【００３３】
Ｓ３５において、ＣＰＵ１４は、アクセスポイント６２との接続方法が、無線ＬＡＮ通信２０３から有線ＬＡＮ回線４に切り替えられたか否かを判断する。切り替えが行われた場合（Ｓ３５：ＹＥＳ）にはＳ４５へ進み、切り替えが行われていない場合（Ｓ３５：ＮＯ）にはＳ４１へ進む。
【００３４】
Ｓ４１において、ＣＰＵ１４は、無線ＬＡＮ通信２０３の受信電波強度が電波強度閾値よりも小さい状態が、所定時間以上継続しているか否かを判断する。所定時間以上継続していない場合（Ｓ４１：ＮＯ）にはＳ１１（図２）へ戻り、所定時間以上継続している場合（Ｓ４１：ＹＥＳ）にはＳ４３へ進む。Ｓ４３において、ＣＰＵ１４は、ＮＶＲＡＭ４０に記憶されている再表示フラグ４２を「再表示あり」に設定し、Ｓ４５へ進む。Ｓ４５において、ＣＰＵ１４は、ＮＶＲＡＭ４０に記憶されている無線ＬＡＮ設定フラグを、「未設定」に設定する。そしてＳ１１（図２）へ進む。
【００３５】
また、Ｓ１１において、エラー表示を表示する必要があるエラーが、多機能機１０に発生している場合（Ｓ１１：ＹＥＳ）には、Ｓ５１（図４）へ進む。Ｓ５１において、ＣＰＵ１４は、ＮＶＲＡＭ４０に記憶されている無線ＬＡＮ設定フラグ４１が、「設定済み」であるか否かを判断する。無線ＬＡＮ設定フラグ４１が「未設定」である場合（Ｓ５１：ＮＯ）には、Ｓ５３へ進む。
【００３６】
Ｓ５３において、ＣＰＵ１４は、発生しているエラー内容に応じたエラー表示Ｄ２の表示優先度の方が、無線ＬＡＮ設定ボタンＢ１の表示優先度よりも高いか否かを判断する。当該判断は、ＮＶＲＡＭ４０に記憶されている表示優先度テーブル４３（図１０）を用いて行われる。エラー表示Ｄ２の表示優先度の方が高い場合（Ｓ５３：ＹＥＳ）には、エラー表示Ｄ２を無線ＬＡＮ設定ボタンＢ１よりも優先して表示する場合であると判断し、Ｓ５５へ進む。Ｓ５５において、ＣＰＵ１４は、エラー表示Ｄ２を第２領域Ａ２に表示する。第２領域Ａ２は、エラー表示Ｄ２を表示するための領域である。図９に示す表示例のように、第２領域Ａ２の少なくとも一部は、第１領域Ａ１と重複している。そして、第２領域Ａ２にエラー表示Ｄ２が表示され、エラー表示Ｄ２によって第１領域Ａ１に表示されている無線ＬＡＮ設定ボタンＢ１が隠される。
【００３７】
Ｓ５３において、エラー表示Ｄ２の表示優先度の方が無線ＬＡＮ設定ボタンＢ１の表示優先度よりも高くない場合（Ｓ５３：ＮＯ）には、無線ＬＡＮ設定ボタンＢ１をエラー表示Ｄ２よりも優先して表示する場合であると判断し、Ｓ５７へ進む。Ｓ５７において、ＣＰＵ１４は、無線ＬＡＮ設定ボタンＢ１を第１領域Ａ１に表示する。これにより、図７に示す表示例のように、第１領域Ａ１に無線ＬＡＮ設定ボタンＢ１が表示される。
【００３８】
また、Ｓ５１において、無線ＬＡＮ設定フラグ４１が「設定済み」である場合（Ｓ５１：ＹＥＳ）には、Ｓ６３へ進む。Ｓ６３において、ＣＰＵ１４は、発生しているエラー内容に応じたエラー表示Ｄ２の表示優先度の方が、電波強度表示Ｄ１の表示優先度よりも高いか否かを、表示優先度テーブル４３を用いて判断する。エラー表示Ｄ２の表示優先度の方が高い場合（Ｓ６３：ＹＥＳ）にはＳ６５へ進み、ＣＰＵ１４は、エラー表示Ｄ２を第２領域Ａ２に表示する。これにより、図９に示す表示例のように、第１領域Ａ１に表示されている電波強度表示Ｄ１がエラー表示Ｄ２によって隠される。一方、エラー表示Ｄ２の表示優先度の方が低い場合（Ｓ６３：ＮＯ）にはＳ６７へ進み、ＣＰＵ１４は、電波強度表示Ｄ１を第１領域Ａ１に表示する。これにより、図８に示す表示例のように、第１領域Ａ１に電波強度表示Ｄ１が表示される。
【００３９】
＜動作説明例＞
多機能機１０の動作例を説明する。例として、無線ＬＡＮ設定が未設定の状態から、無線ＬＡＮ設定を設定する場合（多機能機１０の購入時など）を説明する。図２のフローが開始されると、無線ＬＡＮ設定が未設定であるため（Ｓ１３：ＮＯ）、待機画面７１の第１領域Ａ１に無線ＬＡＮ設定ボタンＢ１（図７）が表示される（Ｓ１５）。ユーザによる無線ＬＡＮ設定ボタンＢ１の押下が検出されると（Ｓ１７：ＹＥＳ）、無線ＬＡＮ設定ウィザードが開始される（Ｓ２１）。無線ＬＡＮ通信２０３の接続が成功すると（Ｓ２３：ＹＥＳ）、ＮＶＲＡＭ４０に記憶されている無線ＬＡＮ設定フラグ４１が「設定済み」に設定され（Ｓ２５）、Ｓ１１へ戻る。
【００４０】
無線ＬＡＮ設定が設定済みであるため（Ｓ１３：ＹＥＳ）、待機画面７１の第１領域Ａ１に、無線ＬＡＮ設定ボタンＢ１に代えて電波強度表示Ｄ１（図８）が表示される（図３、Ｓ３１）。受信電波強度が電波強度閾値よりも大きいため（Ｓ４１：ＮＯ）、Ｓ１１（図２）へ戻る。以下、Ｓ１１、Ｓ１３、Ｓ３１、Ｓ３３、Ｓ３５、Ｓ４１の第１のループが繰り返される。
【００４１】
次に、上述の第１のループが繰り返されている状態で、アクセスポイント６２の電源が切られ、アクセスポイント６２からの電波送出が停止する場合を説明する。無線ＬＡＮ通信２０３の受信電波強度が電波強度閾値よりも小さい状態が、所定時間以上継続するため（図３、Ｓ４１：ＹＥＳ）、再表示フラグ４２が「再表示あり」に設定され（Ｓ４３）、無線ＬＡＮ設定フラグが「未設定」に設定される（Ｓ４５）。図２のフローへ戻り、無線ＬＡＮ設定が未設定であるため（Ｓ１３：ＮＯ）、第１領域Ａ１に無線ＬＡＮ設定ボタンＢ１（図７）が再表示される（Ｓ１５）。再表示フラグ４２が「再表示あり」に設定されており（Ｓ１９：ＹＥＳ）、受信電波強度が電波強度閾値よりも小さいため（Ｓ２０：ＮＯ）、Ｓ１１へ戻る。以下、Ｓ１１、Ｓ１３、Ｓ１５、Ｓ１７、Ｓ１８、Ｓ１９、Ｓ２０の第２のループが繰り返される。そして、アクセスポイント６２の電源が再投入され、受信電波強度が電波強度閾値よりも大きい状態が所定時間以上継続すると（Ｓ２０：ＹＥＳ）、第２のループが終了し、無線ＬＡＮ設定処理（Ｓ２１）が開始される。
【００４２】
また、上述の第１のループが繰り返されている状態で、多機能機１０の印刷ヘッドに故障が発生する場合を説明する。エラー表示を表示する必要があるエラーが発生したため（図２、Ｓ１１：ＹＥＳ）、Ｓ５１（図４）へ進む。無線ＬＡＮ設定が設定済みであるため（Ｓ５１：ＹＥＳ）、Ｓ６３へ進む。表示優先度テーブル４３（図１０）において、印刷ヘッドエラー表示の表示優先度（「高」）の方が、電波強度表示Ｄ１の表示優先度（「中」）よりも高いため（Ｓ６３：ＹＥＳ）、印刷ヘッドエラーのエラー表示Ｄ２（図９）を第２領域Ａ２に表示する（Ｓ６５）。以下、Ｓ３３、Ｓ３５、Ｓ４１、Ｓ１１、Ｓ５１、Ｓ６３、Ｓ６５の第３のループが繰り返される。そして、エラーが解除されると（Ｓ１１：ＮＯ）、第３のループが終了する。
【００４３】
第１実施例に係る多機能機１０の効果を説明する。無線ＬＡＮ設定ボタンＢ１は、無線ＬＡＮ設定処理（Ｓ２１）を開始するためのボタン画像である。また、電波強度表示Ｄ１は、無線ＬＡＮ設定処理（Ｓ２１）が完了することに応じて行われる無線ＬＡＮ通信２０３の、受信電波強度を表示する画像である。すなわち、無線ＬＡＮ設定ボタンＢ１及び電波強度表示Ｄ１は、互いに関連する画像であるが、同時に同じ第１領域Ａ１に表示する必要がない画像である。よって、第１領域Ａ１を、無線ＬＡＮ設定処理（Ｓ２１）の実行完了の前後で時分割して、無線ＬＡＮ設定ボタンＢ１および電波強度表示Ｄ１の両方を表示することが可能な領域として使用することで、待機画面７１の表示領域を効率的に使用することが可能となる。また、無線ＬＡＮ設定ボタンＢ１および電波強度表示Ｄ１を表示させるために、階層構造のメニューを操作する等の複雑な操作を行う必要を無くすことができるため、ユーザの利便性を高めることができる。
【００４４】
また多機能機１０は、無線ＬＡＮ設定がリセットされることに応じて（Ｓ３３：ＹＥＳ）、無線ＬＡＮ設定ボタンＢ１を第１領域Ａ１に再表示することができる。これにより、無線ＬＡＮ設定を再度実行する必要がある場合において、無線ＬＡＮ設定ボタンＢ１を、階層構造の下層に属するメニューではなく、最上層の待機画面７１に表示することができる。よって、無線ＬＡＮ設定の再実行を容易に開始することができる。
【００４５】
また多機能機１０は、無線ＬＡＮ通信２０３に代えて有線ＬＡＮ回線４が使用されることに応じて（Ｓ３５：ＹＥＳ）、無線ＬＡＮ設定ボタンＢ１を第１領域Ａ１に再表示することができる。これにより、無線ＬＡＮ設定を再実行する必要がある場合（アクセスポイント６２が故障したために、一時的に有線ＬＡＮ回線４を使用する場合など）において、無線ＬＡＮ設定の再実行を容易に開始することができる。
【００４６】
また多機能機１０は、無線ＬＡＮ通信２０３の受信電波強度が電波強度閾値よりも小さい状態が、所定時間以上継続することに応じて（Ｓ４１：ＹＥＳ）、無線ＬＡＮ設定ボタンＢ１を第１領域Ａ１に再表示することができる。これにより、無線ＬＡＮ設定を再度実行する必要がある場合（アクセスポイント６２を交換する場合など）において、無線ＬＡＮ設定の再実行を容易に開始することができる。
【００４７】
また多機能機１０は、無線ＬＡＮ通信２０３の受信電波強度が電波強度閾値よりも大きい状態が所定時間以上継続することに応じて（Ｓ２０：ＹＥＳ）、無線ＬＡＮ設定ボタンＢ１に代えて、電波強度表示Ｄ１を第１領域Ａ１に表示する。これにより、無線ＬＡＮ設定が必要な場合および電波強度の表示が必要な場合の各々に対応して、第１領域Ａ１に表示される画像を自動で切り替えることが可能となるため、第１領域Ａ１をさらに有効利用することが可能となる。
【００４８】
また多機能機１０は、無線ＬＡＮ設定ボタンＢ１または電波強度表示Ｄ１に優先して、エラー表示Ｄ２を第２領域Ａ２に表示するか否かを、エラー表示Ｄ２の重要度に応じて決定することができる（Ｓ５３、Ｓ６３）。これにより、待機画面７１の表示領域を、さらに有効利用することが可能となる。
【００４９】
＜第２実施例＞
第２実施例を、図５を用いて説明する。第２実施例は、第１実施例におけるエラー表示のフロー（図４）の、第１の変形例である。図２のＳ１１において、エラー表示を表示する必要があるエラーが、多機能機１０に発生している場合（Ｓ１１：ＹＥＳ）には、Ｓ８１（図５）へ進む。Ｓ８１において、ＣＰＵ１４は、無線ＬＡＮ設定フラグ４１が、「設定済み」であるか否かを判断する。無線ＬＡＮ設定フラグ４１が「未設定」である場合（Ｓ８１：ＮＯ）には、Ｓ８３へ進む。Ｓ８３において、ＣＰＵ１４は、発生しているエラー内容に応じたエラー表示Ｄ２を、第２領域Ａ２に表示する。またＳ８５においてＣＰＵ１４は、無線ＬＡＮ設定ボタンＢ１を、エラー表示Ｄ２の上側に重なるように、半透明の状態で第１領域Ａ１に表示する。そしてＳ１７（図２）へ進む。これにより、エラー表示Ｄ２と無線ＬＡＮ設定ボタンＢ１との重複部分では、下側のエラー表示Ｄ２が透けて見える状態とすることができる。よって、無線ＬＡＮ設定ボタンＢ１とエラー表示Ｄ２とを第１領域Ａ１に同時に表示することができるため、待機画面７１の表示領域をさらに効率的に使用することが可能となる。
【００５０】
また、Ｓ８１において、無線ＬＡＮ設定フラグ４１が「設定済み」である場合（Ｓ８１：ＹＥＳ）には、Ｓ８７へ進み、ＣＰＵ１４はエラー表示Ｄ２を第２領域Ａ２に表示する。そしてＳ３３（図３）へ進む。これにより、第１領域Ａ１にエラー表示Ｄ２のみが表示される状態とすることができる。
【００５１】
＜第３実施例＞
第３実施例を、図６を用いて説明する。第３実施例は、第１実施例におけるエラー表示のフロー（図４）の、第２の変形例である。Ｓ９１において、ＣＰＵ１４は、無線ＬＡＮ設定フラグ４１が、「設定済み」であるか否かを判断する。無線ＬＡＮ設定フラグ４１が「未設定」である場合（Ｓ９１：ＮＯ）には、Ｓ９３へ進み、ＣＰＵ１４は、エラー表示Ｄ２を第２領域Ａ２に表示する。またＳ９５においてＣＰＵ１４は、無線ＬＡＮ設定ボタンＢ１を、エラー表示Ｄ２の上側に重なるように、第１領域Ａ１に表示する。そして、無線ＬＡＮ設定ボタンＢ１がエラー表示Ｄ２の上側に重なって表示されている状態と、無線ＬＡＮ設定ボタンＢ１が表示されていない状態とを、所定時間ずつ交互に切り替える表示（トグル表示）を実行する。そしてＳ１７（図２）へ進む。これにより、無線ＬＡＮ設定ボタンＢ１とエラー表示Ｄ２とを第１領域Ａ１に同時に表示することができるため、待機画面７１の表示領域をさらに効率的に使用することが可能となる。
【００５２】
また、Ｓ９１において、無線ＬＡＮ設定フラグ４１が「設定済み」である場合（Ｓ９１：ＹＥＳ）には、Ｓ９７へ進み、ＣＰＵ１４はエラー表示Ｄ２を第２領域Ａ２に表示する。そしてＳ３３（図３）へ進む。これにより、第１領域Ａ１にエラー表示Ｄ２のみが表示される状態とすることができる。
【００５３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００５４】
＜変形例＞
互いに関連する画像であるが、同時に同じ第１領域Ａ１に表示する必要がない画像の組合せは、多種の組合せが存在する。例えば、時刻設定ボタンの画像と時間表示の画像の組合せであってもよい。この場合、時刻を設定するまでは時刻設定ボタンが第１領域Ａ１に表示される。そして時刻設定ボタンがタッチされると、時刻設定が開始される。時刻設定が完了すると、第１領域Ａ１には、時刻設定ボタンに代えて時刻表示が表示される。
【００５５】
本実施例では、無線ＬＡＮ通信２０３の接続が成功した場合（Ｓ２３：ＹＥＳ）にのみ、無線ＬＡＮ設定ボタンＢ１を第１領域Ａ１に表示しない形態としたが、この形態に限られない。例えば、無線ＬＡＮ設定処理（Ｓ２１）が実行されることに応じて、無線ＬＡＮ通信２０３の接続の成否に関わらず、無線ＬＡＮ設定ボタンＢ１を第１領域Ａ１に表示しないとする形態であってもよい。
【００５６】
本実施例では、無線ＬＡＮ設定の設定内容がリセットされた場合（Ｓ３３：ＹＥＳ）や、無線ＬＡＮ通信２０３から有線ＬＡＮ回線４に切り替えられた場合（Ｓ３５：ＹＥＳ）や、受信電波強度が弱くなった場合（Ｓ４１：ＹＥＳ）に、無線ＬＡＮ設定ボタンＢ１を第１領域Ａ１に再表示する形態としたが、この形態に限られない。これらの場合においても、第１領域Ａ１に電波強度表示Ｄ１を表示した状態を維持する形態でもよい。
【００５７】
また、無線ＬＡＮ設定の設定内容がリセットされた場合（Ｓ３３：ＹＥＳ）ではなく、多機能機１０の全設定をリセットして工場出荷時状態に戻した場合にのみ、無線ＬＡＮ設定ボタンＢ１を第１領域Ａ１に再表示する形態であってもよい。
【００５８】
電波強度表示Ｄ１に、無線ＬＡＮ設定ボタンＢ１の機能を持たせる形態であってもよい。この場合、電波強度表示Ｄ１をタッチすると、無線ＬＡＮ設定ウィザード（Ｓ２１）が開始される。これにより、無線ＬＡＮ設定を再度実行する必要がある場合（アクセスポイントを切り替える場合など）において、無線ＬＡＮ設定の再実行を容易に開始することができる。
【００５９】
本願の技術の特徴は、表示パネル５０の表示領域を有効利用する点である。よって、本願の技術の適用範囲は多機能機１０に限定されず、表示画面を有する各種の装置（携帯電話、ノートＰＣなど）に適用可能である。
【００６０】
なお、ＲＯＭ１６やＮＶＲＡＭ４０に記憶されている、表示優先度テーブル４３などの各種の情報は、外部記憶装置に記憶されるとしてもよい。そして外部記憶装置から各種の情報が読み出され、ＲＡＭ３０に一旦記憶された上で、各種の処理が行なわれるとしてもよい。外部記憶装置の例としては、メモリーカードや外付のハードディスクなどが挙げられる。
【００６１】
なお、表示パネル５０は座標検出表示手段の一例である。無線ＬＡＮ設定ボタンＢ１は第１画像の一例である。Ｓ１５を実行するＣＰＵ１４は第１の表示制御手段の一例である。無線ＬＡＮ設定ウィザードは所定の処理の一例である。Ｓ２１を実行するＣＰＵ１４は処理実行手段の一例である。電波強度表示Ｄ１はデータ画像の一例である。Ｓ３１を実行するＣＰＵ１４は第２の表示制御手段の一例である。表示パネル５０およびＣＰＵ１４はデータ入力装置の一例である。無線ＬＡＮ設定は処理結果の一例である。Ｓ４５、Ｓ１５を実行するＣＰＵ１４は第３の表示制御手段の一例である。無線ＬＡＮ通信２０３は無線通信の一例である。有線ＬＡＮ回線４は有線通信の一例である。アクセスポイント６２は無線基地局の一例である。エラー表示Ｄ２は第２画像の一例である。
【符号の説明】
【００６２】
４：有線ＬＡＮ回線、１４：ＣＰＵ、５０：表示パネル、６２：アクセスポイント、２０３：無線ＬＡＮ通信、Ａ１：第１領域、Ａ２：第２領域、Ｂ１：無線ＬＡＮ設定ボタン、Ｄ１：電波強度表示、Ｄ２：エラー表示
【図１】
0005849490.tif 000002
【図２】
0005849490.tif 000003
【図３】
0005849490.tif 000004
【図４】
0005849490.tif 000005
【図５】
0005849490.tif 000006
【図６】
0005849490.tif 000007
【図７】
0005849490.tif 000008
【図８】
0005849490.tif 000009
【図９】
0005849490.tif 000010
【図１０】
0005849490.tif 000011